(57)【要約】【課題】  ＩＣカードとカード読書き端末との間の情報のやりとりをユーザが音によって確認することができるＩＣカードシステムを提供する。【解決手段】  ＩＣカード１は、カード読書き端末機２との通信の結果に応じて音源１５で音信号を生成し、スピーカ１６から発音する。カード読書き端末機２は、ＩＣカードから発する音をマイクロフォン２４によって収音し、Ａ／Ｄ変換器２５によってディジタル音データに変換し、制御部２３へ出力する。制御部２３は音データとメモリ２６内に予め設定された通信結果−音対応テーブルとを照合し、照合結果に応じて発音を音源２７へ指示する。音源２７はその照合結果に応じた音信号を生成し、スピーカ２８へ出力する。【選択図】    図１
2006163485.tif 000002
【特許請求の範囲】
【請求項１】
ＩＣカードと、該ＩＣカードのメモリに記憶された情報の読み出しおよび該メモリへの情報の書き込みを行うカード読書き端末機とからなるＩＣカードシステムにおいて、
前記ＩＣカードは、前記カード読書き端末機との通信の結果に応じて音を出す第１の発音手段を具備し、
前記カード読書き端末機は、
前記ＩＣカードから発する音を検知する音検知手段と、
前記検知した音と、予め設定された通信結果−音対応テーブルとを照合する照合手段と、
前記照合手段の照合結果に応じて報知する報知手段と、
を具備することを特徴とするＩＣカードシステム。
【請求項２】
前記ＩＣカードは、前記カード読書き端末機との間における決済処理の結果に応じて音を出すことを特徴とする請求項１に記載のＩＣカードシステム。
【請求項３】
前記ＩＣカードは、前記カード読書き端末機との間におけるデータ通信の状態に応じて音を出すことを特徴とする請求項１または請求項２に記載のＩＣカードシステム。
【請求項４】
前記報知手段は、前記照合結果に応じて音を出す第２の発音手段であることを特徴とする請求項１〜請求項３のいずれかの項に記載のＩＣカードシステム。
【請求項５】
前記ＩＣカードは、前記カード読書き端末機との通信の結果に応じて可聴帯域以下の周波数の音波を出すことを特徴とする請求項１〜請求項４のいずれかの項に記載のＩＣカードシステム。
【請求項６】
前記音検知手段は、マイクロフォンと、前記マイクロフォンの出力をディジタル音データに変換するＡ／Ｄ変換器と、前記Ａ／Ｄ変換器の出力から所定のフィルタを使用して雑音を排除し、雑音を排除した音データについて音の高さ、長さ、音量などを解析して音パターンを作成する制御手段とから構成されることを特徴とする請求項１〜請求項５のいずれかの項に記載のＩＣカードシステム。
【発明の詳細な説明】
【技術分野】
【０００１】
本発明は、ＩＣカードとカード読書き端末機との間の情報のやりとりをユーザが音によって確認することができるＩＣカードシステムに関する。
【背景技術】
【０００２】
近年、磁気カード等に代わってＩＣカードが広く用いられつつある。しかし、現在広く用いられているＩＣカードは音を出すことができず、このため、次のような問題があった。すなわち、カードを使って決済をする時、カードの情報を読み書きする端末側はいろいろな情報をカードから読み込んで操作することができたが、カードのユーザ側に対してその読み書きの状態や結果を通知する手段がなく、ユーザは端末の表示器あるいは店員を通してしか取引の結果を知ることができなかった。
【０００３】
他方、音を出すことができるＩＣカードも開発されている。例えば、特許文献１には、無線通信の信号レベルが一定レベルを超えた時、報知音を発するＩＣカードが記載されている。また、特許文献２には、内部のデータが予め設定されている値以下となった時報知音を発するＩＣカードが記載されている。
【特許文献１】特開平9-114945号公報
【特許文献２】特開平5-128326号公報
【発明の開示】
【発明が解決しようとする課題】
【０００４】
しかしながら、特許文献１、２に記載されるＩＣカードはいずれも単に報知音をＩＣカードが発するというだけのものであり、ＩＣカードが発する音が正しいか否かを認証することはできなかった。すなわち、カード読み書き端末に対してはＩＣカードから正確にその処理内容が伝送され、端末において正しく処理されているのにもかかわらず、ＩＣカードに何らかの不具合があると、ＩＣカードから発する音が実際の処理内容を意味する音とは異なる他の処理内容を意味する音を発してしまうケースがあり、この場合、ユーザは処理内容と異なる音を聞くことになってしまうので、実際には端末において正しく処理されているにもかかわらず、その処理内容が正しく行われていないとユーザが誤認してしまう問題があった。
本発明は上記事情を考慮してなされたもので、その目的は、ＩＣカードとカード読書き端末との間の情報のやりとりをユーザが音によって確認することを可能とし、さらにその音を認証することができるＩＣカードシステムを提供することにある。
【課題を解決するための手段】
【０００５】
この発明は上記の課題を解決するためになされたもので、請求項１に記載の発明は、ＩＣカードと、該ＩＣカードのメモリに記憶された情報の読み出しおよび該メモリへの情報の書き込みを行うカード読書き端末機とからなるＩＣカードシステムにおいて、前記ＩＣカードは、前記カード読書き端末機との通信の結果に応じて音を出す第１の発音手段を具備し、前記カード読書き端末機は、前記ＩＣカードから発する音を検知する音検知手段と、前記検知した音と、予め設定された通信結果−音対応テーブルとを照合する照合手段と、前記照合手段の照合結果に応じて報知する報知手段とを具備することを特徴とするＩＣカードシステムである。
【０００６】
請求項２に記載の発明は、前記ＩＣカードは、請求項１に記載のＩＣカードシステムにおいて、前記カード読書き端末機との間における決済処理の結果に応じて音を出すことを特徴とする。
請求項３に記載の発明は、請求項１または請求項２に記載のＩＣカードシステムにおいて、前記ＩＣカードは、前記カード読書き端末機との間におけるデータ通信の状態に応じて音を出すことを特徴とする。
請求項４に記載の発明は、請求項１〜請求項３のいずれかの項に記載のＩＣカードシステムにおいて、前記報知手段は、前記照合結果に応じて音を出す第２の発音手段であることを特徴とする。
【０００７】
請求項５に記載の発明は、請求項１〜請求項４のいずれかの項に記載のＩＣカードシステムにおいて、前記ＩＣカードは、前記カード読書き端末機との通信の結果に応じて可聴帯域以下の周波数の音波を出すことを特徴とする。
請求項６に記載の発明は、請求項１〜請求項５のいずれかの項に記載のＩＣカードシステムにおいて、前記音検知手段は、マイクロフォンと、前記マイクロフォンの出力をディジタル音データに変換するＡ／Ｄ変換器と、前記Ａ／Ｄ変換器の出力から所定のフィルタを使用して雑音を排除し、雑音を排除した音データについて音の高さ、長さ、音量などを解析して音パターンを作成する制御手段とから構成されることを特徴とする。
【発明の効果】
【０００８】
この発明によれば、ＩＣカードとカード読書き端末との間の情報のやりとりをユーザが音によって確認することができ、さらに、その音を認証することができるという効果がある。
【発明を実施するための最良の形態】
【０００９】
以下、図面を参照し、この発明の実施の形態について説明する。図１はこの発明の一実施の形態によるＩＣカードシステムの構成を示すブロック図であり、このＩＣカードシステムはユーザが所有するＩＣカード１と、駅の改札口あるいは商店の店頭等に設置されるカード読書き端末機２とから構成される。
【００１０】
ＩＣカード１において、１１はカード読書き端末機２との間において短距離無線通信を行う通信制御部であり、カード読書き端末機２から送信された高周波信号をアンテナ１２を介して受信し、受信した信号を復調し、これにより得られたデータを制御部１３へ出力する。また、制御部１３から出力されたデータによって高周波信号を変調し、アンテナ１２からカード読書き端末機２へ送信する。制御部１３はメモリ１４内のデータを読み出して通信制御部１１へ出力し、また、通信制御部１１から入力されたデータをメモリ１４に記憶させる。また、通信制御部１１から入力されたデータに基づいて、カード読書き端末機２との間の通信状態および決済状態をチェックし、チェック結果を示す信号を音源１５へ出力する。例えば、カードが乗降カードでカード読書き端末機２が改札に設置された端末の場合、制御部１３は、「正常決済」、「期限切れ」、「通信異常」、「区間外」を示すデータを音源１５へ出力する。
【００１１】
音源１５は、制御部１３からのデータを受け、そのデータに対応する可聴周波数の信号を生成し、スピーカ１６へ出力する。例えば、図２に示すように、制御部１３から「正常決済」を示すデータを受けた時は、比較的高い可聴周波数の信号を短時間出力する。これにより「ピッ」という音がスピーカ１６から発生する。また、「期限切れ」を示すデータを受けた時は、比較的高い可聴周波数の信号を少し長い時間出力する。これにより「ピッ−」という音がスピーカ１６から発生する。また、「通信異常」を示すデータを受けた時は、比較的高い可聴周波数の信号を少し長い時間繰り返し出力する。これにより「ピッ−ピッ−ピッ−ピッ−」という音がスピーカ１６から発生する。また、「区間外」を示すデータを受けた時は、比較的高い可聴周波数の信号を短時間繰り返し出力する。これにより「ピッピッピッピッ」という音がスピーカ１６から発生する。
【００１２】
このように、ＩＣカード１は、カード読書き端末機２との間の通信状態および決済状態に応じた音を発生する。これにより、ＩＣカード１のユーザは、ＩＣカードの各状態を音によって知ることができる。
【００１３】
次に、カード読書き端末機２において、２１はＩＣカード１との間において短距離無線通信を行う通信制御部であり、ＩＣカード１から送信された高周波信号をアンテナ２２を介して受信し、受信した信号を復調し、これにより得られたデータを制御部２３へ出力する。また、制御部２３から出力されたデータによって高周波信号を変調し、アンテナ２２からＩＣカード１へ送信する。２４はマイクロフォンであり、受信音を音信号に変換しＡ／Ｄ（アナログ／ディジタル）変換器２５へ出力する。このマイクロフォン２４はＩＣカード１がユーザによってかざされる箇所に設置されており、ＩＣカード１が発する音をカートと接近した状態で収音することができるようになっている。Ａ／Ｄ変換器２５はマイクロフォン２４の出力信号をディジタル音データに変換し、制御部２３へ出力する。
【００１４】
制御部２３は、ＩＣカード１から通信制御部２１を介して受信したデータの処理を行い、処理結果をメモリ２６に記憶させる。また、メモリ２６内のデータを読み出し、各種のデータ処理を行い、その結果をメモリ２６に記憶させると共に、必要に応じて通信制御部２１を介してＩＣカード１へ送信する。また、Ａ／Ｄ変換器２５から出力される音データから所定のフィルタを使用して雑音を排除し、雑音を排除した音データについて音の高さ、長さ、音量などを解析して音パターンを作成し、メモリ２６に一時記憶させる。
【００１５】
また、制御部２３は、ＩＣカードとの通信終了時において、図３に示す処理を行う。すなわち、ＩＣカード１との通信が終了すると（ステップＳ１）、まず、通信結果をメモリ２６に保存する（ステップＳ２）。次に、音が検出されたか否か、すなわち、メモリ２６内に音パターンが一時記憶されているか否かを判断する（ステップＳ３）。そして、音パターンが検出された場合は、その音パターンとメモリ２６内のテーブルに予め設定されているパターン（図２参照）の内先の通信結果に対応するパターンとを照合する（ステップＳ４）。その結果、パターの照合がとれた場合は（ステップＳ５が「ＹＥＳ」）、正常を示す信号を音源２７へ出力する。音源２７は正常を示す音信号を生成し、スピーカ２８へ出力する。これにより、例えば「ピッ」という正常を示す音が発生する（ステップＳ６）。そして、制御部２３の処理が終了する。また、ステップＳ５において照合がとれなかった場合は、制御部２３が異常を示す信号を音源２７へ出力する。音源２７は異常を示す音信号を生成し、スピーカ２８へ出力する。これにより、例えば「ピピピピピピ」という異常を示す音が発生する（ステップＳ８）。そして、制御部２３の処理が終了する。
【００１６】
一方、ステップＳ３の判断において音が検出されなかった場合は、予め設定されている所定時間が経過したか否かを判断し（ステップＳ７）、経過していない場合はステップＳ３へ戻り、以後、所定時間が経過するまでステップＳ３、Ｓ７の処理を繰り返す。そして、その間において音が検出された場合はステップＳ４の処理へ進むが、所定時間経過しても音が検出されなかった場合は、制御部２３が異常通信を示す信号を音源２７へ出力する。音源２７は異常を示す音信号を生成し、スピーカ２８へ出力する。これにより、異常を示す音が発生する（ステップＳ８）。こうして、音パターンの照合結果または音の有無に応じてＩＣカードの１のユーザに対して報知を行う。
なお、読書き端末機２において、音源２７とスピーカ２８に代えて、他の報知手段、例えば、表示器による表示などにより報知してもよい。
【００１７】
なお、このカード読書き端末機２は単独で決済処理を行うものでもよく、また、ホストコンピュータとデータの授受を行い、ホストコンピュータにおいて決済処理を行うものでもよい。
また、ＩＣカード１または読書き端末機２から発音される音は単音に限らず、複数の音色の混合であってもよいし、人間の音声であってもよい。カード読書き端末機２またはＩＣカード１がそれらを解析（判断）できればよい。
また、ＩＣカード１のスピーカ１６は圧電ブザーのような単機能な発音のみしかできないものでもよい。また、スピーカ１６は可聴帯域で発音するもの以外に、低周波の振動のみを発生するものでも、カードを持っている手にその感触が伝わることで同様の効果を得ることができる。
また、ＩＣカード１の音源１５または読書き端末機２の音源２７はメモリに記憶された音データを読み込み、その音データに基づいて音信号を生成するようにしてもよい。
【００１８】
以上詳述したように、上記ＩＣカードシステムによれば、ＩＣカード１およびカード読書き端末機２の双方において音が発生し、この音を聞くことにより、ユーザがＩＣカード１とカード読書き端末機２との間の通信状態および決済状態を耳で確認することができ、さらに、ＩＣカードから発生した音が正しいか否かを確認することができる。
例えば、このシステムを電車の定期・乗降カードシステムに利用した場合、改札においてユーザがカードをかざすと、「ピッ」という音がカードから発生し、正常の決済終了（改札を通過できること）がユーザに伝わる。もし、定期が期限切れの場合は「ピ−ッ」という音が、区間外の場合は「ピッピッピッピッ」という音がＩＣカード１から発生し、ユーザにその旨が音によって知らされる。一方、カード読書き端末機２からは、ＩＣカード１の発音に呼応して、最後に「ピッ」という音が発音される。
【００１９】
また、このシステムを一般の決済カードシステムに利用した場合、店員がホストコンピュータとの通信のため、ＩＣカード１をカード読書き端末機２に読みとらせた時にも同様の動作が行われる。
【産業上の利用可能性】
【００２０】
この発明は、交通機関の定期券システムやプリペードカードシステム、デパートやスーパーの決済システム等に用いられる。
【図面の簡単な説明】
【００２１】
【図１】この発明の一実施形態によるＩＣカードシステムの構成を示すブロック図である。
【図２】図１におけるＩＣカードから発せられる音パターンを示す図である。
【図３】同Ｉにおけるカード読書き端末機２の動作を説明するためのフローチャートである。
【符号の説明】
【００２２】
１…ＩＣカード、２…カード読書き端末機、１１、２１…通信制御部、１３、２３…制御部、１４、２６…メモリ、１５、２７…音源、１６、２８…スピーカ、２４…マイクロフォン、２５…Ａ／Ｄ変換器。
【図１】
2006163485.tif 000003
【図２】
2006163485.tif 000004
【図３】
2006163485.tif 000005